(57)【特許請求の範囲】
【請求項１】
一対の挟持部材が支点で接し、前記支点を中心にして、一方に皮膚を挟持する挟持部、他方に把持部がそれぞれ形成され、前記挟持部同士が閉じた状態に付勢され、前記挟持部の少なくとも一方はランセットデバイス先端との結合部を有し、前記結合部に、ランセットが貫通可能な採血用孔が形成されており、挟持部の少なくとも一方に凹部が形成され、この凹部の底部に採血用孔となる貫通孔が設けられ、前記凹部の内部空間にランセットデバイス先端が結合する採血位置表示具。
【請求項２】
貫通孔を有する挟持部が、皮膚と接する面に、貫通孔を囲む状態で環状突起部を有する請求項１記載の採血位置表示具。
【請求項３】
採血用孔が、採血に必要な血液量に対応する内容積であることにより、採血した血液量が測定に要する十分量であるかの判断を可能とする定量機能を有する請求項１又は２に記載の採血位置表示具。
【請求項４】
結合部が、取り外し可能である請求項１〜３のいずれか一項に記載の採血位置表示具。
【請求項５】
凹部の内周面に少なくとも１箇所以上の深さ方向に沿った溝部を有し、前記内周面の溝部以外の部分にランセットデバイス先端の周辺面の一部を圧接させることにより結合し、前記圧接した一部を前記溝部に移動することにより前記圧接状態を解除する請求項１〜４のいずれか一項に記載の採血位置表示具。
【請求項６】
ランセットデバイス先端の形状が角型形状であり、その角を凹部の内周面の溝部以外と圧接させる請求項５記載の採血位置表示具。
【請求項７】
ランセットデバイス先端の形状が楕円形状であり、この長軸方向端部を凹部の内周面の溝部以外と圧接させる請求項５記載の採血位置表示具。
【請求項８】
貫通孔が、その途中から凹部の内部方向に行くにしたがい、テーパー状に広がった形状である請求項１〜７のいずれか一項に記載の採血位置表示具。
【発明の詳細な説明】
【０００１】
【発明の属する技術分野】
本発明は、指等から血液を採取する際に、容易に採血用具等を誘導できる目印となる採血位置表示具に関する。
【０００２】
【従来の技術】
現在、糖尿病患者が医療機関に出向くことなく、在宅で採血を行ない、血糖値（グルコース濃度）を測定する方法として、例えば、以下に示すランセットと簡易グルコース測定計とを使用する方法が広く実施されている。
【０００３】
前記ランセットとは、患者の皮膚を穿刺するための使い捨ての針や刃物であり、これらは、例えば、ランセットデバイスと呼ばれる専用の射出装置にセットして使用される。また、例えば、図１３に示すように、簡易グルコース測定計６０は、検体供給部および検体中のグルコースと特異的に反応するグルコースオキシダーゼ等を含む試薬部を有する使い捨てストリップ６１と、前記使い捨てストリップ６１をセットしてグルコース量を測定する専用メーター６２とから構成されている。また、前記ストリップ６１は、通常、供給された検体を移動させるために毛管構造となっている。
【０００４】
前記ランセットと前記簡易グルコース測定計とを用いたグルコースの測定は、例えば、以下に示すように行なうことができる。まず、前記ランセットをランセットデバイス内部にセットし、前記ランセットデバイスの先端を皮膚表面に近づけてから、セットした前記ランセットを射出することにより皮膚を穿刺し、前記穿刺部から血液を絞り出して、血液の「溜り」を作る。そして、前記穿刺部の血液に、前記簡易グルコース測定計６０のストリップ６１先端を接触させると、前記ストリップ６１は毛管現象により前記血液を吸引し、これを前記試薬部に移動させる。前記試薬部では、血液中のグルコースと前記試薬とが反応を開始する。前記専用メーター６２は、前記グルコースと試薬とを一定時間反応させた後、その反応生成物を検知し、これをグルコース濃度に換算してモニターに表示する。
【０００５】
しかしながら、糖尿病の合併症のために全盲または弱視となった糖尿病患者や、細かい手作業ができない患者等は、例えば、ランセットで穿刺した穿刺部の血液に前記簡易グルコース測定計６０のストリップ６１先端を接触させることや、前述の一連の作業を一人で行なうことが困難である。
【０００６】
このような問題を解決するために、例えば、特開平１０−２９５６７５号公報には、指への係止部と採血用孔とを有する採血用指バンドが開示されている。この指バンドを使用すれば、前記採血用孔が採血用針のガイドの役割を果たすため、触覚を利用して、前記採血用針を皮膚の目的箇所に接触させることが容易であり、また、前記採血用孔から、診断用デバイス上に直接血液を滴下することもできる。
【０００７】
しかしながら、このような指バンドは、穿刺部に対する脱着が困難である。このため、さらに容易に採血位置を固定・指示でき、前記簡易グルコース測定計等の測定デバイスを容易に誘導して血液を供給することができる採血位置表示具が求められている。
【０００８】
【発明が解決しようとする課題】
そこで、本発明の目的は、皮膚の穿刺部の目印となり、前記穿刺部から容易に血液の採取を行なうことのできる採血位置表示具の提供である。
【０００９】
【課題を解決するための手段】
前記目的を達成するために、本発明の採血位置表示具は、一対の挟持部材が支点で接し、前記支点を中心にして、一方に皮膚を挟持する挟持部、他方に把持部がそれぞれ形成され、前記挟持部同士が閉じた状態に付勢され、前記挟持部の少なくとも一方はランセットデバイス先端との結合部を有し、前記結合部に、ランセットが貫通可能な採血用孔が形成されているという構成である。
【００１０】
このような本発明の採血位置表示具は、前述のように、前記挟持部同士が閉じた状態に付勢されているため、その付勢力を利用して、前記挟持部で指先等の採血部位を挟持するだけでよく、患者は前記採血位置表示具の脱着を容易に行うことができる。また、採血部位に表示具を固定する際、例えば、接着テープ等を用いると、その粘着性の低下・劣化等により十分に固定できないおそれや、再利用するにはコストが高くなるという問題がある。しかし、本発明の採血位置表示具は、前記付勢力によって十分に前記採血部位に固定されるため、例えば、前記採血位置表示具にランセットデバイス先端を結合させたり、ランセットによる皮膚の穿刺を行っても、その操作等によって採血位置表示具が採血部位からずれたり、脱離することを回避できる。再利用する場合も、本発明の採血位置表示具は、例えば、そのまま洗浄・殺菌等を行うだけでよく、低コスト化が可能である。また、視覚に頼らなくても、触覚によって前記採血位置表示具を介して皮膚の穿刺部を確認することや、前述のような簡易グルコース測定計のストリップ先端を前記採血用孔に溜まった血液に接触させて採血を行なうことが容易である。したがって、本発明の採血位置表示具を用いれば、例えば、採血部位への固定も十分であり、視覚障害の患者等にも容易に採血が可能であるため、臨床医療における診断や、特に在宅での自己診断時の採血に有用である。
【００１１】
本発明の採血位置表示具において、前記挟持部の少なくとも一方に凹部が形成され、この凹部の底部に採血用孔となる貫通孔が設けられ、前記凹部の内部空間にランセットデバイス先端が結合することが好ましい。このような採血位置表示具は、例えば、前記内部空間にランセットデバイス先端を嵌入することにより結合させ、前記貫通孔から穿刺および採血を行えばよい。このように前記凹部を設けることにより、採血位置の確認が容易になり、例えば、ランセットデバイス先端や前記測定計のストリップ先端を簡単に接触させることができる。
【００１２】
本発明の採血位置表示具において、前記貫通孔を有する挟持部が、皮膚と接する面に、前記貫通孔を囲む状態で環状突起部を有することが好ましい。前記皮膚と接する面にこのような環状突起部を形成することにより、皮膚と採血位置表示具との隙間を血液が毛細管現象によって進むことを防止でき、無駄なく血液を採取できる。また、前記突起部が皮膚を圧迫することによって鬱血状態となり、十分量の血液を容易に得ることができる。
【００１３】
本発明の採血位置表示具において、前記採血用孔が定量機能を有していることが好ましい。患者が採血を行なう場合、採血した血液量が測定に要する十分量であるか判断することは困難であったが、これによれば、十分量または一定量の採血を容易に行うことができる。前記定量機能は、例えば、採血に必要な血液量に応じて採血用孔の内容積を設定することにより実現できる。但し、血液の表面張力や粘性のため、採血用孔の内容積は、このような要因を見こして設定することが好ましい。
【００１４】
本発明の採血位置表示具において、前記結合部が、取り外し可能であることが好ましい。このような構成であれば、例えば、再利用する場合は、この結合部のみを洗浄・殺菌等すればよく、また、使い捨ての場合でも、結合部だけを取り替えるのみでよいため、低コスト化を図ることができる。このため、特に在宅での採血等に有用である。
【００１５】
本発明の採血位置表示具において、前記結合部の構成およびランセットデバイス先端との結合状態は、以下のような例が好ましい。
【００１６】
前記挟持部において、前記凹部の内周面に、少なくとも一箇所以上の深さ方向に沿った溝部を有する構成があげられる。この構成によれば、前記内周面の溝部以外の部分にランセットデバイス先端の周辺面の一部を圧力をかけて接触（圧接）させることにより結合し、前記圧接した一部を前記溝部に移動することにより前記圧接状態を解除することができる。
【００１７】
具体的に、ランセットデバイスの先端形状が角型形状の場合、例えば、前記角型先端の角を前記凹部の内周面の溝部以外と圧接させることにより結合し、前記角を前記溝部に移動することにより、前記圧接状態を解除することが好ましい。また、ランセットデバイスの先端形状が楕円型形状の場合、例えば、前記楕円型先端の長軸方向端部を前記凹部の内周面の溝部以外と圧接させることにより結合し、前記圧接した部分を前記溝部に移動することにより前記圧接状態を解除する採血位置表示具が好ましい。
【００１８】
本発明の採血位置表示具において、前記貫通孔が、その途中から前記凹部の内部方向に行くにしたがって、テーパー状に広がった形状であることが好ましい。これにより、前記凹部の内部空間に、血液を流れ易くすることができる。
【００１９】
【発明の実施の形態】
（実施形態１）
図１および図２に、本発明の採血位置表示具の一例を示す。図１（Ａ）および図１（Ｂ）は、この採血位置表示具１の斜視図であり、図２は、前記図１（Ａ）のＩ−Ｉ方向断面図である。図２において、図１と同一部分には同一符号を付している。図示のように、この採血位置表示具１は、軸１３により結合した一対の挟持部材１１、１２からなり、軸１３を中心として、一方に第１の挟持部１１２および第２の挟持部１２２、他方に第１の把持部１１１および第２の把持部１２１が形成されている。前記第１の挟持部１１２（図１（Ａ）において上側）は、有底円筒状体１１２であり、その側面に把持部１１１の端部が結合して、両者は一体となっている。前記有底円筒状体１１２の底部の略中央には、採血用の貫通孔１１２ａが形成されている。この有底円筒状体１１２の内部空間が凹部となり、ここにランセットデバイス先端が結合する。前記有底円筒状体１１２の外側底面は、皮膚と接する面１１２ｄとなる。第２の挟持部１２２は、指の形状に沿うようにその内面（皮膚と接する面）１２２ｄが凹状に湾曲している。第１の把持部１１１は幅方向端部に一対の半円状突起部を有し、これらの内側に位置するように第２の把持部１２１も一対の半円状突起部を有している。これら４つの半円状突起部を一本の軸１３が貫通することにより一対の挟持部材１１、１２が結合しており、各突起部は対向する把持部に接して支点を形成している。軸１３にはバネ１４が捲回されており、バネ１４の一端１４ａは第１の把持部１１１の対向面を、他端１４ｂは第２の把持部１２１の対向面をそれぞれ押圧している。これにより、挟持部同士１１２、１２１が閉じた状態に付勢される。図２において、図１と同一部分には同一符号を付している。
【００２０】
前記挟持部材の材料としては、特に制限されず、例えば、ポリエステル、ポリプロピレン、ポリスチレン、ポリカーボネート等のプラスチック、ステンレス、アルミニウム等の金属、塩化ビニル等が使用できる。
【００２１】
採血位置表示具１の大きさは特に制限されず、例えば、全長３０〜５０ｍｍの範囲、全体幅５〜３０ｍｍの範囲である。有底筒状体である第１の挟持部１１２の大きさは、例えば、高さ１〜１０ｍｍの範囲、外径５〜２０ｍｍの範囲、内径３〜１８ｍｍの範囲、底部の厚み０．１〜５ｍｍの範囲、採血用孔１１２ａの直径０．５〜８ｍｍの範囲である。第２の挟持部１２２の大きさは、例えば、幅５〜２０ｍｍの範囲、長さ１５〜３０ｍｍの範囲、厚み１〜１０ｍｍの範囲である。
【００２２】
また、採血用孔１１２ａの大きさを設定することにより、例えば、定量性を持たせることもできる。採血用孔１１２ａの大きさは、例えば、３〜１０μｌの範囲の血液を採取する場合、採血用孔１１２ａの体積３×１０-3〜０．０１ｃｍ3の範囲、有底筒状体の底部の厚み０．５〜１ｍｍの範囲、採血用孔１１２ａの直径２．８〜３．６ｍｍの範囲である。
【００２３】
このような採血位置表示具１と共に使用するランセットデバイスとしては、例えば、図１２に示すものがある。
【００２４】
図示のように、ランセットデバイス２は、針や刃物の使い捨てランセット２３をセットする本体２１と、中空の先端部材２２とから構成されている。使用時には、前記本体２１にランセット２３を装着し、前記ランセット２３が隠れるように前記本体２１に先端部材２２を装着する。前記本体２１には、セットした前記ランセット２３を射出し、射出後直ちにこれを元の位置に戻すための弾性体が配置されている。また、前記先端部材２２の先端面２４には、前記本体２１内部にセットされたランセット２３が射出して皮膚を穿刺できるように、その中央部に穿刺用の孔が設けられている。
【００２５】
ランセットデバイス２としては、例えば、市販のものが使用でき、その大きさは、特に制限されないが、例えば、最大全長３〜１５ｃｍの範囲、最大直径１０〜２０ｍｍの範囲、先端面２４の直径３〜２０ｍｍの範囲、前記穿刺用孔の直径０．５〜５ｍｍの範囲である。なお、その形状は、円筒型には制限されない。
【００２６】
このような大きさのランセットデバイス２を用いる場合、前記採血位置表示具における第１の挟持部１１２の大きさは、例えば、例えば、高さ０．１〜５ｍｍの範囲、外径５〜２０ｍｍの範囲、内径３〜１８ｍｍの範囲、底部の厚み０．１〜５ｍｍの範囲、採血用孔１１２ａの直径０．５〜８ｍｍの範囲である。
【００２７】
前記ランセットデバイス２と前記採血位置表示具１は、例えば、次のようにして使用できる。まず、前記採血位置表示具１の把持部１１１、１２１を手で持ち、内部方向に加圧して挟持部１１２、１２２の間を開き、ここに指を入れる。そして、採血用孔１１２ａを目的とする採血部位に合わせてから把持部１１１、１２１を離すと、挟持部１１２、１２２は、バネ１４により閉じるように付勢されているため、採血位置表示具１は十分に指の採血部位に固定される。
【００２８】
そして、前述のようにしてセットしたランセットデバイス２の先端部材２２を、採血位置表示具１における第１の挟持部１１２の凹部（結合部）に嵌入する。
【００２９】
この状態でランセットデバイス２から前記ランセットを射出させて皮膚を穿刺した後、前記ランセットデバイス２を皮膚から離す。穿刺により採血用孔１１２ａを通じて第１の挟持部１１２内部に血液が溜まる。この際、この採血位置表示具１によれば、その付勢力により指を挟持しているため、採血部位を鬱血させることが可能であり、例えば、指をしごく必要もなく、容易に十分量の血液を得ることができる。また、採血用孔が検査に必要な血液量に対応して形成されている場合（すなわち、定量機能を有している場合）、必要量の血液が出たかを予め確認できる。
【００３０】
そして、前述のような簡易グルコース測定計６０（図１３参照）を用いてグルコース量を測定する場合、患者は、この採血位置表示具１を確認し、その採血用孔１１２ａに簡易グルコース測定計６０のストリップ６１先端を接触させて、毛管現象により血液を吸引させる。前記血液は、前記ストリップ６１内を移動し、試薬部において、試薬と血液中のグルコースとが反応する。そして、前記簡易グルコース測定計６０の専用メーター６２は、前記両者を一定時間反応させた後、自動的にその反応物を検出し、これをグルコース濃度に演算してモニターに表示する。
（実施形態２）
この例は、ランセットデバイス先端に対する結合部が取り外し可能な採血位置表示具の一例である。この採血位置表示具は、図３（Ｂ）に示す結合部材３２と、同図（Ａ）に示す結合部材３２に対する支持部３３を有する本体３１とから構成される。同図において、図１と同一箇所には同一符号を付している。
【００３１】
この本体３１は、図１に示す第１の挟持部１１２の代わりに、結合部材３２に対する支持部３３が形成されている。この支持部３３は、平面形状が略Ｕ字状である。また、この支持部３３の断面形状は逆Ｌ字状であり、支持部本体３３ａと縁部３３ｂとから構成されている。一方、結合部材３２は、有底円筒状であり、その底部の略中央に採血用の貫通孔３２ａを有する。また、結合部材３２の外側底面が皮膚と接する面となる。
【００３２】
この本体３１に結合部材３２を組み込んで構成される採血位置表示具を図４に示す。同図（Ａ）は、この採血位置表示具の斜視図であり、同図（Ｂ）は、同図（Ａ）における支持部３３に結合部材３２が挿嵌されている部分のII−II方向断面図である。この採血位置表示具３では、支持部３３のＵ字状の先端から結合部材３２を挿嵌して使用し、使用後は結合部材３２を取り外し、次の使用時に新たなもしくは洗浄殺菌した結合部材を装着すればよい。このように、本体３１に結合部材３２を組み込めば、挟持部に凹部が形成され、ここにランセットデバイス先端が結合される。この採血位置表示具３は、支持部に結合部材を脱着させる以外は、前記実施形態１と同様に使用できる。
【００３３】
この実施形態において、支持部３３は縁部３３ｂを有するため、例えば、本体３１にセットした結合部材３２と第２の挟持部１２２との間で指を挟持した場合、付勢力により結合部材３２が指に押し付けられても、結合部材３２が支持部３３から外れてしまうこともない。なお、この支持部は、本実施形態の形状には限定されず、例えば、前記縁部を有さなくてもよく、支持部により結合部材を十分に支持でき、指を挟持しても外れることがなければよい。
【００３４】
つぎに、実施形態３〜６に、本発明の採血位置表示具におけるランセットデバイスとの結合部の例を示す。以下に示す結合部の形態は、前記実施形態１に示す一体型の採血位置表具における第１の挟持部や、実施形態２に示す取り外し可能な結合部材に適用でき、特に示さない限り、実施形態１または実施形態２に同様にして使用できる。したがって、実施形態３〜６において「結合部」とは、前記第１の挟持部および取り外し可能な前記結合部材のことを示す。
（実施形態３）
図５に、先端形状が円型および角型のいずれのランセットデバイスにも対応可能である結合部の例を示す。同図（Ａ）は、この結合部の斜視図、同図（Ｂ）はその平面図、同図（Ｃ）は、前記平面図のIII−III方向断面図である。図示のように、この結合部５は、有底円筒状体であり、その底部の略中央には、採血用の貫通孔５ａが形成されている。この有底円筒状体５の内部空間が凹部となり、ここにランセットデバイス先端が結合し、その外側底面は、皮膚と接する面となる。そして、有底円筒状体５の内周面は、開口部に向って広がるテーパー面５ｄとなっており、その二箇所に切り込み部５ｅが設けられている。
【００３５】
このような結合部５を有する採血位置表示具は、例えば、その先端面が角型のランセットデバイス先端部材に使用する場合、切り込み部５ｅに前記先端部材を嵌入することにより結合させ、また、その先端が、丸型のランセットデバイスの場合は、結合部材５の内部空間全体に、前記先端部材を嵌入すればよい。その他の使用方法は、前記実施形態１および実施形態２と同様である。
（実施形態４）
図６に、先端形状が角型のランセットデバイスに有用である結合部の例を示す。同図（ａ）は、この結合部の平面図、同図（ｂ）は、前記平面図のIV−IV方向断面図である。図示のように、この結合部６は、有底円筒状体であり、その底部の略中央には、採血用の貫通孔６ａが形成されている。この有底円筒状体６の内部空間が凹部となり、ここにランセットデバイス先端が結合し、その外側底面は、皮膚と接する面となる。そして、有底円筒状体６の内周面の高さ方向に、断面が半円状の溝部６ｅが等間隔で６箇所設けられている。
【００３６】
このような結合部６を有する採血位置表示具は、例えば、その先端面が角型のランセットデバイス先端部材に使用する場合、図７（ａ）の平面図に示すように、有底円筒状体６の溝部６ｅ以外の内周面に、先端部材７の４つ角を圧接させることにより結合させる。そして、この結合部６から先端部材７を取り外す場合は、同図（ｂ）の平面図に示すように、先端部材７を回して、その４つの角が溝部６ｅにくるようすればよい。このように、前記４つ角が溝部６ｅにくると、結合部６の内周面との圧接状態が解除されるため、容易に先端部材７を取り外すことができる。その他の使用方法は、前記実施形態１および実施形態２と同様である。
【００３７】
前記溝部６ｅの数は、特に制限されないが、例えば、１〜１２箇所の範囲であり、好ましくは３〜１２箇所の範囲であり、より好ましくは４〜８箇所の範囲であり、特に好ましくは６箇所である。結合部の内周面における溝部６ｅの位置は、例えば、使用する先端部材の先端形状等により適宜決定できる。また、前記溝部を複数箇所に設ければ、これらの溝部から、先端部材の先端形状に応じた箇所を選択することにより、多種形状の先端部材に対応することもできる。前記溝部の形状は、特に制限されないが、断面がＵ字状もしくは円弧状、コの字状、Ｖ字状等であることが好ましい。
（実施形態５）
図８の平面図に、先端形状が楕円型のランセットデバイスに有用である結合部の例を示す。図示のように、この結合部８は、有底円筒状体であり、その底部の略中央には、採血用の貫通孔８ａが形成されている。この有底円筒状体８の内部空間が凹部となり、ここにランセットデバイス先端が結合し、その外側底面は、皮膚と接する面となる。そして、前記有底円筒状体８の内周面の高さ方向に、断面が半円状の溝部８ｅが１箇所設けられている。
【００３８】
このような結合部８を有する採血位置表示具は、例えば、図９（ａ）の平面図に示すように、その先端面が楕円型のランセットデバイス先端部材９に使用する場合は、有底円筒状体８の溝部８ｅ以外の内周面に、前記先端部材９の長軸方向端部を圧接させることにより結合させる。そして、この結合部８から先端部材９を取り外す場合は、図９（ｂ）の平面図に示すように、先端部材９を回して、圧接している前記長軸方向端部の一端が溝部８ｅにくるようすればよい。このように、前記長軸方向端部の一端が溝部８ｅにくると、結合部８の内周面との圧接状態が解除されるため、容易に先端部材９を取り外すことができる。その他の使用方法は、前記実施形態１および実施形態２と同様である。なお、溝部の数は、前述のように、一箇所以上であれば特に制限されない。
（実施形態６）
図１０の断面図に、皮膚と接触する面に、貫通孔を囲む状態で環状突起部を有する結合部１０の例を示す。図示のように、この結合部１０は、有底円筒状体であり、その底部の略中央には、採血用の貫通孔１０ａが形成されている。この有底円筒状体１０の内部空間が凹部となり、ここにランセットデバイス先端が結合する。そして、有底円筒状体の外側底面には、貫通孔１０ａの周りを囲むように環状突起部１０ｆが設けられている。この環状突起部１０ｆの外側底面と、有底円筒状体１０の外側底面とが皮膚と接する面となる。
【００３９】
前記環状突起部１０ｆは、その高さが、例えば、０．２〜０．４ｍｍの範囲であり、その環の幅が、例えば、０．１〜０．５ｍｍの範囲である。
【００４０】
このように、貫通孔を囲む状態で環状突起部１０ｆを有する形態は、例えば、前記実施例４に述べた有底円筒状体の内周面に溝部を有する結合部（図６参照）にも適用できる。この例を、図１１の断面図に示す。同図において、図６および図１０と同一部分には同一符号を付している。図示のように、貫通孔１０ａが、その途中から結合部１１の内部方向に行くにしたがい、テーパー状に広がった形状であってもよい。なお、溝部の数は、前述のように、一箇所以上であれば特に制限されない。
【００４１】
以上のような実施形態において、一対の挟持部同士を閉じた状態に付勢するための付勢部材としてバネをあげているが、前記挟持部同士が付勢されればこれには制限されない。例えば、一対の挟持部材を樹脂等により一体となるように成形し、前記樹脂の弾性等により挟持部同士を付勢することもできる。
【００４２】
また、把持部の形状は特に制限されないが、例えば、その外面に滑り止めの凹凸等が形成されていることが好ましい。
【００４３】
本発明の採血位置表示具は、前記各実施形態にはなんら制限されず、また、その形状も特に制限されない。また、本発明では、前記各実施形態で個別に示した構成をそれぞれ組合わせてもよい。
【００４４】
【発明の効果】
以上のように、本発明の採血位置表示具は、例えば、容易に指等の採血部位に固定することができ、これにより視覚に頼ることなく、採血部を確認することができるため、容易かつ迅速に採血を行なうことができる。このような採血位置表示具は、例えば、在宅での採血、特に視覚障害者自身が採血を行なう際に有用である。
【図面の簡単な説明】
【図１】（Ａ）および（Ｂ）は、本発明の採血位置表示具における一実施例を示す斜視図である。
【図２】前記実施例の採血位置表示具を示す断面図である。
【図３】本発明の採血位置表示具におけるその他の実施例を示す図であり、（Ａ）は本体の斜視図、（Ｂ）は、前記本体に装着する結合部材の斜視図である。
【図４】（Ａ）は、前記実施例の採血位置表示具を示す斜視図であり、（Ｂ）は、その断面図である。
【図５】（Ａ）は、本発明の採血位置表示具におけるその他の実施例を示す斜視図であり、（Ｂ）はその平面図であり、（Ｃ）はその断面図である。
【図６】（Ａ）は、本発明の採血位置表示具におけるさらにその他の実施例を示す平面図であり、（ｂ）は、その断面図である。
【図７】（Ａ）は、本発明のさらにその他の実施例の採血位置表示具における結合部の内周面に、前記ランセットデバイスを圧接させた状態を示す平面図であり、（Ｂ）は、前記内周面との圧接状態を解除した状態を示す平面図である。
【図８】本発明の採血位置表示具におけるさらにその他の実施例を示す平面図である。
【図９】（Ａ）は、前記実施例の採血位置表示具における結合部の内周面に、前記ランセットデバイスを圧接させた状態を示す平面図であり、（Ｂ）は、前記内周面との圧接状態を解除した状態を示す平面図である。
【図１０】本発明の採血位置表示具におけるさらにその他の実施例を示す断面図である。
【図１１】本発明の採血位置表示具におけるさらにその他の実施例を示す断面図である。
【図１２】ランセットデバイスおよびランセットの一例の構成概略を示す模式図である。
【図１３】簡易グルコース測定計の一例を示す斜視図である。
【符号の説明】
１  ：  採血位置表示具
１１、１２  ：  挟持部材
１１２、１２２  ：  挟持部
１１１、１２１  ：  把持部
１１２ａ  ：  採血用孔
【図１】
0004555917.tif 000002
【図２】
0004555917.tif 000003
【図３】
0004555917.tif 000004
【図４】
0004555917.tif 000005
【図５】
0004555917.tif 000006
【図６】
0004555917.tif 000007
【図７】
0004555917.tif 000008
【図８】
0004555917.tif 000009
【図９】
0004555917.tif 000010
【図１０】
0004555917.tif 000011
【図１１】
0004555917.tif 000012
【図１２】
0004555917.tif 000013
【図１３】
0004555917.tif 000014